(57)【要約】スキー板などのための運搬器具は、織物製肩ストラップへ固定されたフレキシブルで非伸長性のワイヤ環状部を備える。スキー板は、スキー板のつま先側ビンディングによって環状部内に吊り下げられる。
2005507293.tif 000002
【特許請求の範囲】
【請求項１】
フレキシブル・ストラップと、前記フレキシブル・ストラップへ固く固定されたほぼ非伸長性の環状部とを備える運搬器具であって、前記フレキシブル・ストラップは、前記運搬器具の使用者の肩に掛けられるのに適しており、運搬される部材が前記環状部から吊り下げられる運搬器具。
【請求項２】
前記環状部は、フレキシブル材料で作成される請求項１に記載の運搬器具。
【請求項３】
前記運搬される部材は、スキー板である請求項１または２に記載の運搬器具。
【請求項４】
前記運搬される部材は、スノーボードである請求項１または２に記載の運搬器具。
【請求項５】
前記フレキシブル・ストラップは、長さが調節可能である請求項１〜４のいずれかに記載の運搬器具。
【請求項６】
前記フレキシブル・ストラップは、解放可能な（releasable）部品を含む請求項１〜５のいずれかに記載の運搬器具。
【請求項７】
前記フレキシブル・ストラップは、織物を含む請求項１〜６のいずれかに記載の運搬器具。
【請求項８】
前記環状部は、金属ケーブルを含む請求項１〜７のいずれかに記載の運搬器具。
【請求項９】
前記金属ケーブルは、プラスチック材料で被覆される請求項８に記載の運搬器具。
【請求項１０】
前記環状部は、織物を含む請求項１〜７のいずれかに記載の運搬器具。
【請求項１１】
前記環状部は、開くことができる請求項１〜１０のいずれかに記載の運搬器具。
【請求項１２】
前記環状部が閉じているときに前記環状部をロックするための錠を備える請求項１１に記載の運搬器具。
【発明の詳細な説明】
【０００１】
本発明は、これに限られないが、特にスキー板のような細長い部材を運搬するための器具に関する。
【０００２】
多くの場合、スキー場にいる時に、スキーヤーは彼または彼女のスキー板を一時の間運搬しなければならない。一対のスキー板は、重い荷物とまではいかないが、扱いにくく、スキー場の混雑している区域に順応することが特に困難である。このような区域において、一対のスキー板を運搬する最も安全な方法は、直立または垂直にすることである。
【０００３】
スキー板を垂直姿勢に保持するのを補助するための器具が既に存在する。しかしながら、これらの器具は、大型であり、これらにスキー板が載せられていない場合でさえ、元来運搬するために扱いにくい。加えて、スキー板が２箇所以上で固定されることを必要とする器具は、積み込みおよび荷下ろしの困難を引き起こし、所有者が短い距離に対して当該器具を使用するのを思いとどまらせる。スキーヤーがスキーをする間、またはスキー板の運搬を必要としないリゾート地での他の活動に参加する間、ポケットに入れてあるいはそうでなければスキーヤーの身体に身に着けて運べるように十分に小型である積み込みが容易（simple-to-load）なスキー板運搬器具が理想的には必要とされる。
【０００４】
したがって、本発明の目的は、スキー板を垂直状態で運搬するための使用が容易な器具であって、スキーをしている間ポケットに入れて運べるように十分に小型の器具を提供することである。
【０００５】
本発明によれば、フレキシブル・ストラップと、ストラップへ固く固定された好ましくはほぼ非伸長性の環状部とを備える運搬器具が提供され、ストラップは器具の使用者の肩に掛けられるのに適し、運搬される部材が環状部から吊り下げられる。
【０００６】
環状部は、好ましくはフレキシブル材料で作成される。
【０００７】
運搬される部材がスキー板である場合、環状部はスキー板のつま先側ビンディングにまで達するのに適する。スキー板のつま先側ビンディングは、スキー板の質量中心に極めて近接しているので、スキー板についての十分に平衡した吊り上げ点を提供する。スキー板をそのつま先側ビンディングによって吊るすことにより、スキー板が安定した状態で垂直またはほぼ垂直にぶら下がることが保証される。同じことがスノーボードにも当てはまる。
【０００８】
種々の大きさに適応するために、ストラップは、自身の長さを調節するための手段を好ましくは有する。さらに、この器具をより実用的にし、かつ積み込みおよび荷下ろしを容易にするために、ストラップは解放可能な（releasable）部品を含む。
【０００９】
解放可能な部品は、スナップ留め具とすることができ、スナップ留め具の雄部品と雌部品とがストラップの隣接する端部へ接続される。長さの調節は、ストラップが張られていない状態のときに所望の長さに至るまでストラップに沿って自由にスライドできる１つの部材によって与えられ、ストラップが張られた状態のときに当該部材によって保持される。
【００１０】
可能な他の留め具は、一連のスナップボタン（press studs），ホック／パイル織物留め具（hook and pile fabric fasteners），あるいはストラップの他方の端部に一連の孔部を備えたベルト／バックルの使用を含む。
【００１１】
好ましくは、ストラップは軽量かつ防水であり、こういう訳で化繊織物（woven synthetic fabric）がストラップ材料の好ましい選択肢である。
【００１２】
加えて、環状部を形成する材料の表面が非研磨性（non-abrasive）であり、かつ面と接触しているときに適度な量の摩擦つかみを提供するならばそれが好ましい。本発明の好適な実施の形態は、プラスチックによって被覆されたスチール・ケーブルから構成された環状部を提供することによってこれを達成する。代わりに、当該環状部は、ストラップを構成する材料と同一の材料から構成されてもよい。
【００１３】
本発明の１つの好適な実施の形態において、環状部は開閉可能とすることができ、理想的には閉位置で鍵をかけることができる。記号合わせ錠が好ましくは提供される。
【００１４】
ストラップと環状部とは、環状部を構成する材料の両端部をストラップ上の固定位置へ固定することによって好ましくは固く接合される。環状部とストラップとが同じ材料から構成される代わりの実施の形態において、ストラップと環状部とは縫い合わされてもよい。
【００１５】
この器具の最も好ましい全ての実施の形態は、不使用時にポケットに収容できるように十分に小型でフレキシブルである。
【００１６】
本発明をより明確に理解できるようにするために、本発明の実施の形態を、添付図面を参照して例として説明する。
【００１７】
図１〜３を参照すると、スキー板運搬器具は、使用者８の肩に掛けられたストラップ２から構成され、ストラップ２は、一対のスキー板１を、スキー板のつま先側ビンディング４によって環状部３から吊り下げる。
【００１８】
ストラップ２は長さが調節可能であり、使用者が自身の肩のストラップを時々持ち上げる動作を容易にすることを望む場合には、ストラップ２の端部を解放可能すなわち接続可能にしてもよい。ストラップの隣接する端部は、雄部品９および雌部品１０で構成されるスナップ留め具によって接続される。長さ調節は、留め具５の雄部品９へ組み込み可能なスライドおよび引っ掛け（slide and snag）部品６によって容易にされる。
【００１９】
ストラップ２は、防水合成繊維を織って作られ、強度を弱めることなしに摩耗と重量とを低下させる。プラスチックによって被覆されたスチール・ケーブルから構成された環状部３がストラップ２へ固定される。
【００２０】
プラスチック被覆物は非研磨性であり、したがって、スキー板のどの部分にも損害を与えず、また、環状部とスキー板との間のグリップを増大させる。追加の利点は、水が当該ケーブルのスチール部分を腐食させるのをこの被覆物が防止するということである。
【００２１】
この器具に積み込むために、使用者８は、一対のスキー板１を、一般的な運搬方法でつま先側端部を上向きにして背中合わせに配置する。次に、使用者８は、環状部３を一対のスキー板１の上端部に通して下方へ降ろしつま先側ビンディング４を越えさせる。次に、使用者８は、環状部がつま先側ビンディング４の周囲に引っ掛かるまで環状部をスキー板１の上方へ引くことができる。次に、使用者８は、ストラップ２をこのまたは彼女の肩の上に慎重に持ち上げ、スキー板１を安全に固定した状態で自由に歩くことができる。
【００２２】
運搬中あるいは積み込み前に、使用者８は、スライドおよび引っ掛け部品６を使用することによってストラップの長さを調節することを望むこともできる。
【００２３】
スキー板１を器具から降ろすために、使用者８は、彼または彼女の肩からストラップ２を慎重に降ろす。代わりに、使用者は、スナップ留め具５を外して、次にスキー板１を地面へ降ろしてもよい。いったんスキー板１が地面によって支えられると、環状部３をつま先側ビンディング４から外してスキー板１を完全に解放することが容易になる。次に、使用者８は、彼らが自身のスキー板を再び運搬することが必要になるまで、器具を彼または彼女のポケットに入れることができる。
【００２４】
図４を参照すると、この実施の形態において環状部１１は非伸長性であるが開閉可能であるという点を除いて、図１に示されたのと類似したスキー板運搬および／またはスノーボード運搬器具が示される。閉じているとき、環状部の自由端部に与えられた留め金１２は錠１３によって留められる。この実施の形態において、記号合わせ錠が用いられる。図４は、開位置での環状部を示す。
【００２５】
この実施の形態は、当該器具で運搬される場合のスキー板および／またはスノーボードが、柱のような固定物へ固定されるのを可能にするという点で有益である。
【００２６】
上記の実施の形態は、例のみとして説明されており、多くの変形が本発明の範囲から外れることなしに可能である。例えば、留め具は、一連のスナップ・ボタン（press studs），ホック／パイル織物留め具（hook and pile fasteners），またはストラップの他方の端部に一連の孔部を備えたベルト／バックルを含んでもよい。
【００２７】
さらに、ストラップと環状部とは同一の材料から形成でき、この場合は、これらは縫い合わされてもよい。
【００２８】
さらに、ストラップを肩から垂直に掛けてもよく、あるいは肩から臀部にかけて身体に斜めに掛けてもよい。
【図面の簡単な説明】
【００２９】
【図１】本発明に係るスキー板および／またはスノーボード運搬器具の平面図である。
【図２】運搬器具から垂直に吊り下げられた一対のスキー板を示す図である。
【図３】運搬器具の環状部とスキー板のつま先側ビンディングとの間の相互作用を詳述する図である。
【図４】本発明に係る第２のスキー板および／またはスノーボード運搬器具の平面図である。
【図１】
2005507293.tif 000003
【図２】
2005507293.tif 000004
【図３】
2005507293.tif 000005
【図４】
2005507293.tif 000006
【国際公開パンフレット】
2005507293.tif 000007
2005507293.tif 000008
2005507293.tif 000009
2005507293.tif 000010
2005507293.tif 000011
2005507293.tif 000012
2005507293.tif 000013
2005507293.tif 000014
2005507293.tif 000015
2005507293.tif 000016
2005507293.tif 000017
2005507293.tif 000018
【国際調査報告】
2005507293.tif 000019
2005507293.tif 000020